(57)【要約】【課題】記録媒体を用いて画像の補正を指示する場合に、その指示を簡単かつ確実に検出することができる画像処理装置および画像処理プログラムを提供すること。【解決手段】ユーザは、画像データの一部を補正したい場合に、プリンタ２１により指定シートを印刷する。その指定シートには、画像データの画像が記録されており、ユーザはその画像の一部を赤ペンで囲み、スキャナ２０で読み取らせる。すると、ＭＦＰ１により赤ペンで囲まれた領域が検出され、その領域に対応する画像メモリ１３に記憶される画像データが補正される。【選択図】図３
2008219210.tif 000002
【特許請求の範囲】
【請求項１】
画像データに従った画像を記録媒体に記録する第１の記録手段と、
その第１の記録手段によって記録媒体に記録された画像に付記される補正部分を示すマークを読み取る読取手段と、
その読取手段によって読み取られた前記マークから前記補正部分を検出する検出手段と、
その検出手段によって検出された補正部分の前記画像データを補正する補正手段と、
その補正手段によって補正された画像データに従った補正画像を記録媒体に記録する第２の記録手段とを備え、
前記第１の記録手段は、記録媒体に記録する前記画像を、前記第２の記録手段により記録媒体に記録される前記補正画像よりも濃度を薄くして記録することを特徴とする画像処理装置。
【請求項２】
前記検出手段は、前記マークの特性を有する画素を検出し、その画素の周囲に３以上の前記マークの特性を有する画素が存在する場合に、検出した画素は前記マークであると判定することを特徴とする請求項１記載の画像処理装置。
【請求項３】
前記検出手段は、検出された前記マークに外接する長方形の領域を前記補正部分として検出することを特徴とする請求項１または２記載の画像処理装置。
【請求項４】
前記読取手段はセンサにより画像を読み取るものであり、
前記検出手段は、前記センサにより検出される色に基づいた画素値を、前記マークの特性を有する画素として検出することを特徴とする請求項１から３のいずれかに記載の画像処理装置。
【請求項５】
前記第１の記録手段は、前記画像データの補正部分の特定を補助する補助記号を記録媒体に記録することを特徴とする請求項１から４のいずれかに記載の画像処理装置。
【請求項６】
前記補助記号は、前記読取手段により読み取られるものであり、
前記検出手段は、前記補助記号が記録されている位置に基づいて、前記マークの位置を検出して前記補正部分の位置を特定することを特徴とする請求項５記載の画像処理装置。
【請求項７】
前記補助記号は複数設けられており、
前記第１の記録手段は、複数の前記補助記号をそれぞれ異なる色で記録することを特徴とする請求項５または６記載の画像処理装置。
【請求項８】
前記第１の記録手段は、前記補助記号を前記画像より濃度を濃くして記録媒体に記録することを特徴とする請求項５から７のいずれかに記載の画像処理装置。
【請求項９】
前記第１の記録手段は、前記記録媒体に記録された前記画像の対角線上に前記補助記号を記録することを特徴とする請求項５から８のいずれかに記載の画像処理装置。
【請求項１０】
前記第１の記録手段は、モノクロで画像を記録することを特徴とする請求項１から９のいずれかに記載の画像処理装置。
【請求項１１】
前記第１の記録手段は、前記画像を粗く記録媒体に記録し、前記第２の記録手段は、前記補正画像を密に記録媒体に記録することを特徴とする請求項１から１０のいずれかに記載の画像処理装置。
【請求項１２】
画像データに従った画像を記録媒体に記録する第１の記録ステップと、
その第１の記録ステップによって記録媒体に記録された画像に付記される補正部分を示すマークを読み取る読取ステップと、
その読取ステップによって読み取られた前記マークから前記補正部分を検出する検出ステップと、
その検出ステップによって検出された補正部分の前記画像データを補正する補正ステップと、
その補正ステップによって補正された画像データに従った補正画像を記録媒体に記録する第２の記録ステップとをコンピュータに実行させ、
前記第１の記録ステップは、記録媒体に記録する前記画像を、前記第２の記録ステップにより記録媒体に記録される前記補正画像よりも濃度を薄くして記録することを特徴とする画像処理プログラム。
【発明の詳細な説明】
【技術分野】
【０００１】
本発明は、画像処理装置及び画像処理プログラムに関し、特に、記録媒体を用いて画像の補正を指示する場合に、その指示を簡単かつ確実に検出することができる画像処理装置および画像処理プログラムに関するものである。
【背景技術】
【０００２】
従来より、ユーザによって画像の一部の領域が指定された場合に、その領域内の画像を補正する画像処理装置が知られている。このような画像処理装置に関し、特許文献１に記載されている技術では、原稿の画像を補正するために、原稿と同一サイズの半透明の編集シートを原稿に重ね、補正したい領域と補正処理の内容を示す処理マークとを記入する。そして、原稿と編集シートとを別々にスキャナで読み取り、編集シートに記入された指示に従って、指定された領域の画像を補正する。
【特許文献１】特開平５−２０５０２８号公報（００１８段落など）
【発明の開示】
【発明が解決しようとする課題】
【０００３】
しかしながら、上述した特許文献１に記載された技術を用いて、画像データの補正を行う場合は、まず画像データを記録媒体に記録し、それに編集シートを重ねて補正する領域を記入しなければならず大変煩わしいという問題点があった。また、画像データが記録された記録媒体を原稿台に載置する位置と、編集シートを原稿台に載置する位置とがズレた場合には、補正を指定した領域と、その領域に対応する画像とがズレて読み取られるため、正しく補正できないという問題点があった。
【０００４】
本発明は、上述した問題点を解決するためになされたものであり、記録媒体を用いて画像の補正を指示する場合に、その指示を簡単かつ確実に検出することができる画像処理装置および画像処理プログラムを提供することを目的とする。
【課題を解決するための手段】
【０００５】
この目的を達成するために、請求項１記載の画像処理装置は、画像データに従った画像を記録媒体に記録する第１の記録手段と、その第１の記録手段によって記録媒体に記録された画像に付記される補正部分を示すマークを読み取る読取手段と、その読取手段によって読み取られた前記マークから前記補正部分を検出する検出手段と、その検出手段によって検出された補正部分の前記画像データを補正する補正手段と、その補正手段によって補正された画像データに従った補正画像を記録媒体に記録する第２の記録手段とを備え、前記第１の記録手段は、記録媒体に記録する前記画像を、前記第２の記録手段により記録媒体に記録される前記補正画像よりも濃度を薄くして記録する。
【０００６】
請求項２記載の画像処理装置は、請求項１記載の画像処理装置において、前記検出手段は、前記マークの特性を有する画素を検出し、その画素の周囲に３以上の前記マークの特性を有する画素が存在する場合に、検出した画素は前記マークであると判定する。
【０００７】
請求項３記載の画像処理装置は、請求項１または２記載の画像処理装置において、前記検出手段は、検出された前記マークに外接する長方形の領域を前記補正部分として検出する。
【０００８】
請求項４記載の画像処理装置は、請求項１から３のいずれかに記載の画像処理装置において、前記読取手段はセンサにより画像を読み取るものであり、前記検出手段は、前記センサにより検出される色に基づいた画素値を、前記マークの特性を有する画素として検出する。
【０００９】
請求項５記載の画像処理装置は、請求項１から４のいずれかに記載の画像処理装置において、前記第１の記録手段は、前記画像データの補正部分の特定を補助する補助記号を記録媒体に記録する。
【００１０】
請求項６記載の画像処理装置は、請求項５記載の画像処理装置において、前記補助記号は、前記読取手段により読み取られるものであり、前記検出手段は、前記補助記号が記録されている位置に基づいて、前記マークの位置を検出して前記補正部分の位置を特定する。
【００１１】
請求項７記載の画像処理装置は、請求項５または６記載の画像処理装置において、前記補助記号は複数設けられており、前記第１の記録手段は、複数の前記補助記号をそれぞれ異なる色で記録する。
【００１２】
請求項８記載の画像処理装置は、請求項５から７のいずれかに記載の画像処理装置において、前記第１の記録手段は、前記補助記号を前記画像より濃度を濃くして記録媒体に記録する。
【００１３】
請求項９記載の画像処理装置は、請求項５から８のいずれかに記載の画像処理装置において、前記第１の記録手段は、前記記録媒体に記録された前記画像の対角線上に前記補助記号を記録する。
【００１４】
請求項１０記載の画像処理装置は、請求項１から９のいずれかに記載の画像処理装置において、前記第１の記録手段は、モノクロで画像を記録する。
【００１５】
請求項１１記載の画像処理装置は、請求項１から１０のいずれかに記載の画像処理装置において、前記第１の記録手段は、前記画像を粗く記録媒体に記録し、前記第２の記録手段は、前記補正画像を密に記録媒体に記録する。
【００１６】
請求項１２記載の画像処理プログラムは、画像データに従った画像を記録媒体に記録する第１の記録ステップと、その第１の記録ステップによって記録媒体に記録された画像に付記される補正部分を示すマークを読み取る読取ステップと、その読取ステップによって読み取られた前記マークから前記補正部分を検出する検出ステップと、その検出ステップによって検出された補正部分の前記画像データを補正する補正ステップと、その補正ステップによって補正された画像データに従った補正画像を記録媒体に記録する第２の記録ステップとをコンピュータに実行させ、前記第１の記録ステップは、記録媒体に記録する前記画像を、前記第２の記録ステップにより記録媒体に記録される前記補正画像よりも濃度を薄くして記録する。
【発明の効果】
【００１７】
請求項１記載の画像処理装置によれば、読取手段により、第１の記録手段によって記録媒体に記録された画像に付記される補正部分を示すマークが読み取られ、検出手段により、読み取られたマークから補正部分が検出される。補正手段により、検出された補正部分の画像データが補正され、第２の記録手段により、補正された画像データの画像が記録媒体に記録される。第１の記録手段により記録媒体に記録される画像は、第２の記録手段により記録媒体に記録される画像よりも濃度が薄く、その薄い濃度の画像にマークが付記されるので、画像とマークとの濃度に基づいてマークを簡単に検出することができるという効果がある。
【００１８】
請求項２記載の画像処理装置によれば、請求項１記載の画像処理装置の奏する効果に加え、検出手段により、マークの特性を有する画素が検出され、その画素の周囲に３以上のマークの特性を有する画素が存在する場合に、検出された画素はマークであると判定される。よって、マークの存否を確実に検出することができるという効果がある。
【００１９】
請求項３記載の画像処理装置によれば、請求項１または２記載の画像処理装置の奏する効果に加え、検出手段により、検出されたマークに外接する長方形の領域が補正部分として検出される。汎用の補正手段は、長方形の画像データを補正するものが多く、検出された長方形の画像データの補正に、その汎用の補正手段を使用することができるので、開発コストを下げることができるという効果がある。
【００２０】
請求項４記載の画像処理装置によれば、請求項１から３のいずれかに記載の画像処理装置の奏する効果に加え、検出手段により、センサによって検出される色に基づいた画素値が、マークの特性を有する画素として検出される。センサによって検出される色の画素値は、センサによって検出しづらい色の画素値よりも検出される値が大きいため、マークの特性を有する画素値をより確実に検出することができるという効果がある。
【００２１】
請求項５記載の画像処理装置は、請求項１から４のいずれかに記載の画像処理装置において、第１の記録手段により、画像データの補正部分の特定を補助する補助記号が記録媒体に記録されるので、補助記号が記録されていない場合と比べて画像データの補正部分の特定を簡単な処理で行うことができるという効果がある。
【００２２】
請求項６記載の画像処理装置は、請求項５記載の画像処理装置において、
検出手段は、補助記号が記録されている位置に基づいて、マークの位置を検出して補正部分の位置を特定するので、補助記号が記録されていない場合と比べて画像データの補正部分の位置の特定を簡単な処理で行うことができるという効果がある。
【００２３】
請求項７記載の画像処理装置は、請求項５または６記載の画像処理装置において、第１の記録手段により、複数の補助記号がそれぞれ異なる色で記録される。よって、記録媒体が傾いている状態で読取手段に読み取られても、その補助記号の位置と色とによって画像データの補正部分の特定を確実に行うことができるという効果がある。
【００２４】
請求項８記載の画像処理装置は、請求項５から７記載のいずれかに記載の画像処理装置において、第１の記録手段により、補助記号は画像データより濃度を濃くされ記録媒体に記録されるので、補助記号と記録された画像とを簡単に判別することができるという効果がある。
【００２５】
請求項９記載の画像処理装置は、請求項５から８のいずれかに記載の画像処理装置において、第１の記録手段により、記録媒体に記録された画像の対角線上に補助記号がを記録されるので、記録媒体が傾いている状態で読み取り手段に読み取られても、その傾きを算出できるので、その傾きを簡単に修正することができるという効果がある。
【００２６】
請求項１０記載の画像処理装置は、請求項１から９のいずれかに記載の画像処理装置において、第１の記録手段より、モノクロで画像が記録されるので、カラーインクの消費を抑えることができるという効果がある。また、記録媒体に記録される画像がモノクロであるので、補正部分を示すマークがカラーで付記される場合は、マークと記録された画像とを簡単に判別でき、マークを簡単に検出することができるという効果がある。
【００２７】
請求項１１記載の画像処理装置は、請求項１から１０のいずれかに記載の画像処理装置において、選択手段により、画像を粗く記録媒体に記録する第１のモードと画像を密に記録媒体に記録する第２の記録モードとが選択される。選択手段による選択に関わらず、第１の記録手段により画像が粗く記録媒体に記録されるので、記録媒体に記録される画像データに付記される補正部分を示すマークと画像とを簡単に区別でき、マークを簡単に検出することができるという効果がある。
【００２８】
請求項１２記載の画像処理プログラムは、読取ステップにより、第１の記録ステップによって記録媒体に記録された画像に付記される補正部分を示すマークが読み取られ、検出ステップにより、読み取られたマークから補正部分が検出される。補正ステップにより、検出された補正部分の画像データが補正され、第２の記録ステップにより、補正された画像データの画像が記録媒体に記録される。第１の記録ステップにより記録媒体に記録される画像は、第２の記録ステップにより記録媒体に記録される画像よりも濃度が薄く、その薄い濃度の画像にマークが付記されるので、画像とマークとの濃度に基づいてマークを簡単に検出することができるという効果がある。
【発明を実施するための最良の形態】
【００２９】
以下、本発明の好ましい実施形態について、添付図面を参照して説明する。図１は、本発明の実施形態における画像処理装置を有した多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。このＭＦＰ１は、プリンタ機能、スキャナ機能、及び、コピー機能などの各種機能を有している。
【００３０】
ＭＦＰ１の本体の前面には、開口部５が設けられ内部が上下に仕切られている。開口部５の下側には、複数枚の記録用紙を積層収納可能な給紙カセット３が挿入されている。給紙カセット３は、Ａ４サイズ等にカットされた記録用紙が収納可能に構成されている。開口部５の上側は記録済みの記録用紙が排紙される排紙部４となっている。
【００３１】
本体の内部には、ＣＰＵ１１からの指示に基づいて、所定の給紙位置（非図示）にセットされた記録用紙への記録を行うためのインクジェット方式のプリンタ２１が内蔵されている。プリンタ２１は、記録用紙を搬送する記録用紙搬送用モータ（非図示）と、記録用紙へインクを吐出する印字ヘッド（非図示）と、その印字ヘッドを搭載したキャリッジ（非図示）を移動させるキャリッジモータ（非図示）とを有している。
【００３２】
開口部５の上部には、スキャナ機能やコピー機能の実行時における原稿読取などのためのスキャナ２０が配置されている。原稿カバー体８の下側には、原稿を載置するための載置用ガラス板（図示しない）が設けられており、原稿を読み取る場合は、原稿カバー体８を上側に開き、載置用ガラス板上に原稿を載置し、原稿カバー体８を閉じて原稿を固定する。そして、操作キー１５の原稿読取キー１５ｄを押下すると、載置用ガラス板の下側に設けられている原稿読取センサー（図示しない）により原稿紙面の画像が読み取られる。
【００３３】
読み取られた画像データは後述のＲＡＭ１３（図２参照）における所定の記憶領域に格納される。なお、スキャナ２０の原稿読取センサーには、例えばＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｄｅ）が用いられており、原稿の画像の赤（Ｒ）、緑（Ｇ）、青（Ｂ）のそれぞれの色成分（画素値）を検出することができる。検出されたＲＧＢの各画素値が合成されることによって、カラーの画像データが形成される。
【００３４】
原稿カバー体８の前方には、横長形状の操作パネル６が設けられており、操作キー１５、ＬＣＤ１６、スピーカ１７（図示しない）とを具備する。操作キー１５には、印刷メニューを表示するための印刷メニューキー１５ａ、ＬＣＤ１６に表示された項目を決定するための決定キー１５ｂ、ＬＣＤ１６に表示される画像データを選択する十字キー１５ｃ、載置用ガラス板上に載置された原稿を読み取る原稿読取キー１５ｄなどが設けられている。また、利用者は、操作キー１５の各種キーを押下することで、電源のオン／オフや、各機能の切り替えなどの操作を行うことができる。
【００３５】
ＬＣＤ１６には、メニューや操作手順や実行中の処理の状態が表示される。また、操作キー１５の押下に対応する情報が表示されるので、利用者は記録する画像データやプリンタ２１などの各種情報を確認することができる。スピーカ１７は、操作キー１５の操作音やエラー発生時の注意音を利用者に報知するものである。
【００３６】
開口部５の前面には、メモリカード２２ａを挿入するためのメモリカードスロット２２が設けられている。メモリカード２２ａをメモリカードスロット２２に挿入することによって、メモリカード２２ａに記憶されている画像データの画像をプリンタ２１で記録用紙に記録したり、スキャナ２０で読み取られた画像データをメモリカード２２ａに記憶することができる。
【００３７】
また、開口部５の前面には、ＵＳＢケーブル（図示しない）の一端側が差し込まれるＵＳＢインターフェイス２３の接続口が開口している。ＵＳＢケーブルの一端側を、ＵＳＢインターフェイス２３の接続口に接続し、他端側をパーソナルコンピュータ（以下、「ＰＣ」と称す）に設けられたＵＳＢインターフェイスの接続口に接続することにより、ＭＦＰ１とＰＣとはＵＳＢケーブルを介してデータ通信可能となるように構成されている。
【００３８】
次に、図２を参照して、ＭＦＰ１の電気的構成について説明する。図２は、ＭＦＰ１の電気的構成を示すブロック図である。ＭＦＰ１は、ＣＰＵ１１、ＲＯＭ１２、ＲＡＭ１３、操作キー１５、ＬＣＤ１６、スピーカ１７、スキャナ２０、プリンタ２１、メモリカードスロット２２、ＵＳＢインターフェイス２３とを主に有している。また、ＣＰＵ１１、ＲＯＭ１２、ＲＡＭ１３は、バスライン２６を介してお互いに接続されている。
【００３９】
さらにＭＦＰ１の操作キー１５、ＬＣＤ１６、スピーカ１７、スキャナ２０、プリンタ２１、メモリカードスロット２２、ＵＳＢインターフェイス２３、バスライン２６は、入出力ポート２７を介してお互いに接続されている。
【００４０】
ＭＦＰ１のＣＰＵ１１は、ＲＯＭ１２やＲＡＭ１３に記憶される固定値やプログラム或いは、ＭＦＰ１が有している各機能の制御や、ＵＳＢインターフェイス２３を介して送受信される各種信号に従って、入出力ポート２７と接続された各部を制御するものである。ＲＯＭ１２は書換不可能なメモリであり、ＭＦＰ１で実行される各種の制御プログラムを記憶する領域である制御プログラム領域１２ａと、後述の指定シート２００（図５（ｃ）参照）に記録される２つのトンボマークＡ，Ｂの印字間隔が記憶されるトンボ間隔メモリ１２ｂと、後述の指定シート２００（図５（ｃ）参照）に記録される各トンボマークと画像１００との間に設けられる余白のサイズが記憶される画像余白サイズメモリ１２ｃとが設けられている。
【００４１】
制御プログラム領域１２ａには、例えば、後述する図３、図４、図６、図８のフローチャートに示す画像処理プログラム（特許請求の範囲に記載の画像処理プログラムの一例）などが記憶されている。
【００４２】
ここで、図５（ｃ）を参照して、トンボ間隔メモリ１２ｂと、画像余白サイズメモリ１２ｃとに記憶される内容について説明する。図５（ｃ）は、画像メモリ１３ａに記憶された画像データの画像が指定シート２００に記録された状態を示している。本発明は、ユーザが指定シート２００に赤ペンで閉曲線Ｃ（特許請求の範囲に記載の補正部分を示すマークの一例）を記入して、スキャナ２０で読み取らせることによって、ＭＦＰ１が赤ペンで囲まれた領域を検出し、その領域に対応する画像メモリ１３の画像データを補正するものである。
【００４３】
指定シート２００は、プリンタ２１によって記録される記録用紙であり、その中央には画像メモリ１３ａに記憶された画像データの画像１００がモノクロで記録され、画像１００の周囲には余白が設けられている。画像１００の左上の余白には、Ｌ字状の赤色のトンボマーク（特許請求の範囲に記載の補助記号の一例）Ａが記録され、画像１００の右下の余白には、Ｌ字状の青色のトンボマークＢが記録されている。
【００４４】
また、それぞれのトンボマークにおいて、Ｌ字状の屈曲点が基準点とされ、画像１００の対角線上にそれぞれの基準点が位置し、Ｌ字が画像の輪郭に平行となるように記録されている。
【００４５】
一方のトンボマークの基準点と、他方のトンボマークの基準点とには、垂直方向に距離ＶＢ、水平方向に距離ＨＢの間隔が設けられており、トンボ間隔メモリ１２ｂの縦方向距離１２ｂ１には距離ＶＢに対応する画素数が、横方向距離１２ｂ２には距離ＨＢに対応する画素数が記憶されている。また、トンボマークの基準点と、そのトンボマークに近接する画像１００の角とには、垂直方向に距離ＶＦ、水平方向に距離ＨＦの間隔が設けられおり、画像余白サイズメモリ１２ｃの縦方向距離１２ｃ１には距離ＶＦに対応する画素数が、横方向距離１２ｃ２には距離ＨＦに対応する画素数が記憶されている。
【００４６】
ここで、図２に戻り、ＲＡＭ１３について説明する。ＲＡＭ１３は、各種のデータを一時的に記憶するための書換可能なメモリであり、画像メモリ１３ａ、画像縮尺メモリ１３ｂ、指定シート画像メモリ１３ｃ、赤色領域抽出ポインタ１３ｄ、補正領域ポインタ１３ｅとが設けられている。
【００４７】
画像メモリ１３ａは、メモリカードスロット２２に挿入されたメモリカード２２ａに記憶されている画像データが記憶される領域である。本実施形態では、ビットマップ形式の画像データを用いた画像処理を記載しているが、ベクトル情報により形成される画像データを用いても良い。ビットマップ形式とは、格子状に画素を並べて画像を形成するための公知のデータ形式であり、各画素の色を示す画素値が、それぞれの画素について記憶されている。
【００４８】
ここで、図５（ａ），（ｃ）を参照して、画像縮尺メモリ１３ｂについて説明する。図５（ａ）は、画像メモリ１３ａの内容を概略的に示したイメージ図である。図５（ａ）に示す画像データは、ビットマップ形式の画像データであるため、記録用紙に画像として記録される場合には、垂直方向および水平方向に並ぶ画素データに対応するドットが、プリンタ２１によって記録用紙上に形成される。
【００４９】
図５（ｃ）に示す指定シート２００に画像が記録される場合には、記録する画像サイズ（垂直方向は距離ＶＢ−２ＶＦ、水平方向は距離ＨＢ−２ＨＦ）が予め決められているため、画像データの画像はそのサイズに適合するように縮尺Ｚが変更されて記録される。画像縮尺メモリ１３ｂは、指定シート２００に記録された画像データの縮尺Ｚが記憶されるメモリである。
【００５０】
ここで、図２の説明に戻る。指定シート画像メモリ１３ｃは、スキャナ２０によって読み取られた指定シートの画像データが記憶される領域である。
【００５１】
次に、図９（ｂ）を参照して、赤色領域抽出ポインタ１３ｄに記憶される内容について説明する。図９（ｂ）は、指定シート画像メモリ１３ｃの内容を概略的に示したイメージ図である。図に記載されているそれぞれの格子は、画像データの１画素を示しており、ここでは、説明を簡単にするために、画像データの一部の画素のみを記載している。
【００５２】
それらの画素のうち、色の付いている画素は、ユーザが指定シート２００に赤ペンで記入した閉曲線Ｃであると判定された画素を示している。赤色領域抽出ポインタ１３ｄは、その検出された画素を包囲する領域（図中破線で示す領域）を示すポインタである。Ｘ方向最小値１３ｄ１、Ｘ方向最大値１３ｄ２、Ｙ方向最小値１３ｄ３、Ｙ方向最大値１３ｄ４とには、指定シート画像メモリ１３ｃにおける画素位置がそれぞれ記憶されている。
【００５３】
ここで、図２の説明に戻る。補正領域ポインタ１３ｅは、画像メモリ１３ａの画像データの補正を行う補正領域Ｄ（図１０（ａ）参照）を示すポインタである。補正領域ポインタ１３ｅには、画像メモリ１３ａにおける画像データの領域（画素位置）が、Ｘ方向最小値１３ｅ１、Ｘ方向最大値１３ｅ２、Ｙ方向最小値１３ｅ３、Ｙ方向最大値１３ｅ４とに記憶される。
【００５４】
図３は、ＭＦＰ１の画像処理を示すフローチャートであり、操作キー１５の印刷メニューキー１５ａが押下された場合に、ＣＰＵ１１により実行される画像処理である。ユーザによって印刷メニューキー１５ａが押下されると、ＬＣＤ１６に「写真印刷ですか？」と表示する（Ｓ１）。そして、ユーザにより押下されたキーは何であるかを判定し（Ｓ２）、押下されたキーが決定キー１５ｂである場合は、メモリカード２２ａに画像ファイルが記憶されているかを判定する（Ｓ３）。一方、押下されたキーがその他のキー（決定キー１５ｂ以外のキー）である場合は、処理を終了する。
【００５５】
Ｓ３の処理において、メモリカード２２ａに画像ファイルが記憶されている場合は（Ｓ３：Ｙｅｓ）、指定シート印刷処理を実行する（Ｓ４）。一方、メモリカード２２ａに画像ファイルが記憶されていない場合は（Ｓ３：Ｎｏ）、処理を終了する。
【００５６】
ここで、図４のフローチャートを参照して、指定シート印刷処理（Ｓ４）について説明する。指定シート印刷処理（Ｓ４）では、始めに、画像メモリ１３ａと画像縮尺メモリ１３ｂとを初期化する（Ｓ２１）。次に、メモリカード２２ａに記憶されている画像ファイルの数を調べる（Ｓ２２）。メモリカード２２ａより画像ファイルを１つ読み取り、ＬＣＤ１６にその画像を表示し、合わせて「表示されている画像を印刷しますか？」と表示する（Ｓ２３）。
【００５７】
そして、ユーザにより押下されたキーは何であるかを判定し（Ｓ２４）、押下されたキーが十字キー１５ｃである場合は、Ｓ２３の処理に戻り、Ｓ２３からＳ２４の処理を繰り返す。一方、押下されたキーが決定キー１５ｂである場合は、メモリカード２２ａから読み取った画像を、画像メモリ１３ａに記憶し（Ｓ２５）、ＬＣＤ１６に「特定の人物に対して画像の補正を行いますか？」と表示する（Ｓ２６）。
【００５８】
そして、ユーザにより押下されたキーは何であるかを判定し（Ｓ２７）、押下されたキーが決定キー１５ｂである場合は、ＬＣＤ１６に「人物を特定するための、指定シートを印刷します」と表示する（Ｓ２８）。一方、押下されたキーがその他のキー（決定キー１５ｂ以外のキー）である場合は、画像メモリ１３ａに記憶される画像データの画像を印刷する（Ｓ１０）（図３参照）。
【００５９】
次に、記録する画像の大きさが縦方向（ＶＢ−２ＶＦ）、横方向（ＨＢ−２ＨＦ）となる縮尺Ｚを求め、画像縮尺メモリ１３ｂに記憶する（Ｓ２９）。画像メモリ１３ａに記憶された画像データを求めた縮尺Ｚで、且つ、印字ドット間隔を広くして指定シートに記録し、そして、トンボマークを通常の印字ドット間隔で記録する（Ｓ３０）。この図４のフローチャートの処理により、指定シート２００（図５参照）が記録されるので、ユーザは補正を行いたい領域を赤ペンで囲み、ＭＦＰ１にその位置を指示することができる。
【００６０】
ここで、図５を参照して、図４のフローチャートにより記録される指定シート２００について説明する。図５（ａ）は、画像メモリ１３ａの内容を概略的に示したイメージ図である。図５（ｂ）は、スキャナ２０の原稿読取センサーの配設間隔と、プリンタ２１の印字ドット間隔とを概略的に示したイメージ図である。図５（ｃ）は、画像メモリ１３ａに記憶された画像データが記録された指定シート２００を示している。
【００６１】
図５（ｂ）に示すように、指定シート２００に画像１００が記録される場合の印字ドット間隔は、図３のフローチャートに示すＳ１０の処理で、記録用紙に画像が記録される場合の印字ドット間隔よりも広い間隔で記録されるので、指定シートには薄い画像が記録されることとなる。指定シート２００に画像１００が記録される場合の印字ドット間隔は、スキャナ２０の原稿読取センサーの配設間隔よりも広いため、ＭＦＰ１は、指定シート２００に記録された画像１００と、ユーザが指定シートに赤ペンで記入した閉曲線Ｃとを簡単に判別することができる。
【００６２】
本実施形態では、印字ドット間隔を広げることにより、指定シート２００に画像１００を薄く記録しているが、印字するドットのインク量を減らすことにより画像を薄く記録しても良い。その場合でも、指定シート２００に記録される画像１００が、図３のフローチャートに示すＳ１０の処理で記録用紙に記録される画像よりも、濃度が薄く記録されるので、ユーザにより記入される閉曲線Ｃと画像１００とを簡単に判別でき、閉曲線Ｃを簡単に検出することができる。
【００６３】
また、画像１００はモノクロで印刷されるため、カラーインクの消費を抑えることができる。さらに、ユーザが指定シート２００に記入する閉曲線Ｃの色を赤色と指定することにより、モノクロである画像１００とを簡単に判別でき、閉曲線Ｃを簡単に検出することができる。また、赤色は、スキャナ２０の原稿読取センサーの検出色であるため、その検出色以外の色よりも、検出される画素値が大きくなるため、閉曲線Ｃをより確実に検出することができる。よって、ユーザに指定する閉曲線Ｃの色は検出色であれば良いので、緑色や青色であっても良い。
【００６４】
図５（ｃ）は、画像メモリ１３ａに記憶された画像データの画像が指定シート２００に記録された状態を示している。上述したように、指定シート２００には、トンボ間隔メモリ１２ｂに記憶される縦方向距離１２ｂ１、横方向距離１２ｂ２、画像余白サイズメモリ１２ｃに記憶される縦方向距離１２ｃ１、横方向距離１２ｃ２の各値に従って、画像１００が記録され、その画像１００の左上には赤色のトンボマークＡが、画像１００左下には青色のトンボマークＢが記録される。各トンボマークは、画像１００よりも濃度が濃く記録されるので、各トンボマークと画像１００とを簡単に判別することができる。
【００６５】
ここで、フローチャートの説明に戻る。次に、図３のフローチャートに示す指定シート読取処理（Ｓ５）を実行する。指定シート読取処理（Ｓ５）について、図６のフローチャートを参照して説明する。指定シート読取処理（Ｓ５）では、始めに、指定シート画像メモリ１３ｃを初期化する（Ｓ４１）。次に、ＬＣＤ１６に「補正を行いたい人物を指定シート上で赤く囲み、スキャナにセットし、原稿読取キーを押してください」と表示する（Ｓ４２）。
【００６６】
ユーザにより原稿読取キー１５ｄが押下されたかを判定し（Ｓ４３）、原稿読取キー１５ｄ押下され場合は（Ｓ４３：Ｙｅｓ）、スキャナ２０で指定シート２００を読み取り、読み取った画像を指定シート画像メモリ１３ｃに記憶する（Ｓ４４）。一方、原稿読取キー１５ｄが押下されない場合は（Ｓ４３：Ｎｏ）、Ｓ４３の処理に戻り、原稿読取キー１５ｄが押下されるまで待機する。
【００６７】
次に、指定シート画像メモリ１３ｃに記憶された指定シート２００の画像は、左上に赤色のトンボマークＡが位置しているかを判定し（Ｓ４５）、画像の左上に赤色のトンボマークＡが位置している場合は（Ｓ４５：Ｙｅｓ）、Ｓ４８の処理に移る。一方、画像の左上に赤色のトンボマークＡが位置していない場合は（Ｓ４５：Ｎｏ）、指定シート２００の画像を１８０°回転させ、指定シート画像メモリ１３ｃに記憶する（Ｓ４６）。
【００６８】
本実施形態のスキャナ２０において、原稿を載置するための載置用ガラス板は、指定シート２００と同等の大きさに構成されているので、指定シート２００を載置用ガラス板に載置する向きは、２種類のみである。この画像の回転処理は、指定シート画像メモリ１３ｃにおいて、常に、画像の左上に赤色のトンボマークＡが位置するように、画像の向きを修正するための処理である。載置用ガラス板が指定シート２００よりも十分に大きい場合は、９０°毎に画像を回転させ、画像の左上に赤色のトンボマークＡが位置しているかを判定しても良い。
【００６９】
次に、指定シート２００の画像は、左上に赤色のトンボマークＡが位置しているかを判定し（Ｓ４７）、画像の左上に赤色のトンボマークＡが位置している場合は（Ｓ４７：Ｙｅｓ）、Ｓ４８の処理へ移る。一方、画像の左上に赤色のトンボマークＡが位置していない場合は（Ｓ４７：Ｎｏ）、Ｓ４２の処理に戻り、前述したＳ４２〜Ｓ４７の各処理を繰り返す。
【００７０】
Ｓ４８の処理において、指定シート２００の画像は、右下に青色のトンボマークＢが位置しているかを判定し（Ｓ４８）、画像の右下に青色のトンボマークＢが位置している場合は（Ｓ４８：Ｙｅｓ）、２つのトンボマークの角（基準点）を結ぶ線と、画像の対角線（トンボマークの位置する側）との角度の差分θを求める（Ｓ４９）。一方、画像の右下に青色のトンボマークＢが位置していない場合は（Ｓ４８：Ｎｏ）、Ｓ４２の処理に戻り、前述したＳ４２〜Ｓ４８の各処理を繰り返す。
【００７１】
そして、求めた角度の差分θだけ、指定シート２００の画像を回転させ、指定シート画像メモリ１３ｃに記憶する（Ｓ５０）。指定シート２００の画像において、２つのトンボマークの角（基準点）を基準として、縦方向の距離がＶＢ、横方向の距離がＨＢとなる縮尺を求め、その縮尺に合わせて画像のサイズを変更し、指定シート画像メモリ１３ｃに記憶する（Ｓ５１）。この図５のフローチャートの処理により、スキャナ２０により指定シート２００を読み取ることができ、また、読み取った画像が傾いている場合でも修正することができる。
【００７２】
ここで、図７を参照して、図６のフローチャートに従ってスキャナ２０により読み取られた指定シート２００の画像について説明する。
【００７３】
図７（ａ）は、スキャナ２０により読み取られた指定シート２００の画像データを概略的に示したイメージ図である。図７（ｂ）は、図７（ａ）の画像データの傾きが修正された状態を示したイメージ図である。図７（ａ）に示すように、スキャナ２０により読み取られた画像は、傾いている場合が多く、その傾きを修正するために、２つのトンボマークの角を結ぶ線と、画像の対角線（トンボマークの位置する側）との角度の差分θを求め、図７（ｂ）に示すように傾きを修正する。
【００７４】
スキャナ２０により読み取られた画像１００が傾いていても、画像１００の対角線上にトンボマークを記録しているので、その傾きを算出でき、その傾きを簡単に修正することができる。また、トンボマークがそれぞれ異なる色で記録されているので、スキャナ２０により読み取られた画像１００において、各トンボマークの位置と色とによって閉曲線Ｃの位置を簡単かつ確実に特定することができ、画像データの補正領域Ｄを確実に特定することができる。さらに、トンボマークを記録しているので、トンボマークを記録しない場合よりも簡単に傾きの修正や、閉曲線Ｃの検出などの画像処理を簡単な処理で行うことができる。また、トンボマークは、余白に記録されるので、トンボマークと画像１００またはユーザにより記入される閉曲線Ｃとを簡単に判別することができる。
【００７５】
スキャナ２０により読み取られる画像は、スキャナ２０の原稿読取の解像度の設定によって、画像データの縦方向および横方向の画素数が決定されるので、解像度が高くなるほど画素数が多くなり、解像度が低くなるほど画素数が少なくなる。つまり、同じ原稿を読み取っても、原稿読取の解像度によって読み取られた画像の大きさが変化する。図６のフローチャートのＳ５１の処理では、図７（ｂ）に示す各トンボマークの間隔（ＶＲとＨＲ）を、図５（ｃ）に示す各トンボマークの間隔（ＶＢとＨＢ）と同一になるように画像の縮尺を変更している。
【００７６】
ここで、フローチャートの説明に戻る。次に、図３のフローチャートに示す補正領域特定処理（Ｓ６）を実行する。補正領域特定処理（Ｓ６）について、図８のフローチャートを参照して説明する。
【００７７】
補正領域特定処理（Ｓ６）では、始めに、赤色領域抽出ポインタ１３ｄと補正領域ポインタ１３ｅとを初期化する（Ｓ６１）。次に、指定シート画像メモリ１３ｃから１つの画素の画素値を読み取り（Ｓ６２）、読み取った画素値は赤色であるかを判定する（Ｓ６３）。Ｓ６３の処理において、読み取った画素値が赤である場合は（Ｓ６３：Ｙｅｓ）、読み取った画素の周囲の画素において、３つ以上の画素の画素値が赤色であるかを判定する（Ｓ６４）。一方、読み取った画素値が赤色でない場合は（Ｓ６３：Ｎｏ）、Ｓ６７の処理へ移る。
【００７８】
Ｓ６４の処理において、読み取った画素の周囲の画素において、３つ以上の画素の画素値が赤色である場合は（Ｓ６４：Ｙｅｓ）、読み取った画素の画素位置（ｘ，ｙ）は、赤色領域抽出ポインタ１３ｄで示される長方形の領域内に位置するかを判定する（Ｓ６５）。一方、３つ以上の画素の画素値が赤色でない場合は（Ｓ６４：Ｎｏ）、Ｓ６７の処理へ移る。
【００７９】
Ｓ６５の処理において、読み取った画素の画素位置が、赤色領域抽出ポインタ１３ｄで示される長方形の領域内に位置している場合は（Ｓ６５：Ｙｅｓ）、Ｓ６７の処理に移る。一方、読み取った画素の位置が、赤色領域抽出ポインタ１３ｄで示される長方形の領域内に位置していない場合は（Ｓ６５：Ｎｏ）、画素位置（ｘ，ｙ）が赤色領域抽出ポインタ１３ｄで示される長方形の領域内に位置する様に、ｘ値またはｙ値を赤色領域抽出ポインタ１３ｄの各値に反映する（Ｓ６６）。
【００８０】
Ｓ６７の処理において、指定シート画像メモリ１３ｃの画素値を全て読み取ったかを判定し（Ｓ６７）、指定シート画像メモリ１３ｃの画素値を全て読み取った場合は（Ｓ６７：Ｙｅｓ）、赤色領域抽出ポインタ１３ｄに記憶される各値を、画像１００の左上を原点とする数値（Ｖ１，Ｖ２、Ｈ１、Ｈ２）に修正する（Ｓ６８）。一方、指定シート画像メモリ１３ｃの画素値を全て読み取っていない場合は（Ｓ６７：Ｎｏ）、Ｓ６２の処理に戻り、前述したＳ６２〜Ｓ６７の各処理を繰り返す。
【００８１】
そして、赤色領域抽出ポインタ１３ｄに記憶されている各値が、画像メモリ１３ａにおいて、どの位置を示すかを算出し、補正領域ポインタ１３ｅに各値（Ｖ１０、Ｖ２０、Ｈ１０、Ｈ２０）を記憶する（Ｓ６９）。この図８のフローチャートの処理により、スキャナ２０により読み取った指定シート２００から、ユーザが指定シート２００に赤ペンで記入した閉曲線Ｃの位置を検出でき、画像メモリ１３ａの補正処理を行う補正領域Ｄ（図１０参照）を特定することができる。
【００８２】
次に、図９と図１０とを参照して、ユーザが指定シート２００に赤ペンで記入した閉曲線Ｃを、ＭＦＰ１がどのように検出して補正領域Ｄを特定するかの一例について説明する。
【００８３】
図９（ａ）は、ユーザが指定シート２００に赤ペンで記入した閉曲線Ｃを、指定シート画像メモリ１３ｃから検出する方法を概略的に示したイメージ図である。図９（ｂ）は、赤色領域抽出ポインタ１３ｄが示す内容を概略的に示したイメージ図である。図１０は、補正領域ポインタ１３ｅが示す内容を概略的に示したイメージ図である。
【００８４】
図９に記載されているそれぞれの格子は、画像データの１画素を示している。ここでは、説明を簡単にするために、画像データの一部の画素についてのみ記載している。
【００８５】
図９（ａ）に記載されている画素のうち、色の付いている画素は、スキャナ２０により赤色として読み取られた画素を示している。赤色の画素の一例としては、画素値がＲＧＢ形式であればＲ値２４０以上、且つ、Ｇ値５０以下、且つ、Ｂ値５０以下である画素である。一方、図９（ｂ）に記載されている画素のうち、色の付いている画素は、ユーザが指定シート２００に赤ペンで記入した閉曲線Ｃの一部を示す画素であると判定された画素を示している。
【００８６】
指定シート画像メモリ１３ｃに記憶される画像データは、図９（ａ）に示すように、トンボマークＡを原点とし、走査方向（Ｙ方向）に向かって順番に各画素の画素値が調べられる。走査中の列が全て調べられると、次にＸ方向に隣接する列の各画素が走査方向（Ｙ方向）に向かって順番に調べられる。この処理が繰り返されることにより、全ての画素の画素値が調べられる。
【００８７】
例えば、ある列の画素Ｅが調べられる場合は、その画素値が赤色であるので、その周囲に３つ以上の赤色の画素が位置しているかが調べられる。周囲の画素とは、読み取られた画素の上下左右斜め方向に位置する画素のことである。画素Ｅの周囲には、右側と右下と下側に赤色の画素が位置しているので、画素Ｅは、ユーザが指定シート２００に赤ペンで記入した閉曲線Ｃの一部を示す画素であると判定される。そして、赤色領域抽出ポインタ１３ｄにより示される領域内に、画素Ｅが含まれるように、図９（ａ）に示すトンボマークＡを原点とする画素Ｅの画素位置が、赤色領域抽出ポインタ１３ｄに反映される。
【００８８】
一方、別の列に位置する画素Ｆが調べられる場合は、その画素値が赤色であるので、その周囲に３つ以上の赤色の画素が位置しているかが調べられる。しかし、画素Ｆの周囲には、下側にしか赤色の画素が位置していないので、画素Ｆは、ユーザが指定シート２００に赤ペンで記入した閉曲線Ｃの一部を示す画素ではないと判定される。このように、ある赤色の画素の周囲に、３つ以上の赤色の画素が位置するかを判定することによって、ユーザが指定シート２００に赤ペンで記入した閉曲線Ｃを確実に検出することができる。
【００８９】
そして、指定シート画像メモリ１３ｃにおける全ての画素が調べられると、図９（ｂ）に示すように、赤色領域抽出ポインタ１３ｄにより、色の付いた画素（ユーザが指定シートに赤ペンで記入した閉曲線Ｃの一部を示す画素であると判定された画素）が全て含まれる長方形の領域が示される。このように、色の付いた画素に外接する長方形の領域を検出することにより、長方形の領域の画像データを補正する汎用の補正処理プログラムを使用できることができる。次に、赤色領域抽出ポインタ１３ｄの各値は、トンボマークＡを原点とする領域（画素位置）を示しているため、画像メモリ１３ａにおける画素位置に換算しなければならない。
【００９０】
図９（ｂ）と図１０とを参照して、赤色領域抽出ポインタ１３ｄの各値を、画像メモリ１３ａにおける画素位置に換算する方法の一例について説明する。図９（ｂ）は、赤色領域抽出ポインタ１３ｄが示す内容を概略的に示したイメージ図である。図１０（ａ）は、補正領域ポインタ１３ｅが示す内容を概略的に示したイメージ図である。図１０（ｂ）は、赤色領域抽出ポインタ１３ｄの各値を、画像メモリ１３ａにおける画素位置に換算する換算式を示している。
【００９１】
図９（ｂ）に示すように、赤色領域抽出ポインタ１３ｄには、トンボマークＡを原点とする画素位置がそれぞれ記憶されている。その原点を画像１００の左上に変更するために、赤色領域抽出ポインタ１３ｄのＸ方向最小値１３ｄ１とＸ方向最大値１３ｄ２とから横方向距離１２ｃ２を減算し、また、Ｙ方向最小値１３ｄ３とＹ方向最大値１３ｄ４とから縦方向距離１２ｃ１を減算する。そうすることにより、赤色領域抽出ポインタ１３ｄのＸ方向最小値１３ｄ１には距離Ｈ１−ＨＦに対応する画素数が、Ｘ方向最大値１３ｄ２には距離Ｈ２−ＨＦに対応する画素数が、Ｙ方向最小値１３ｄ３には距離Ｖ１−ＶＦに対応する画素数が、Ｙ方向最大値１３ｄ４には距離Ｖ２−ＶＦに対応する画素数が記憶される。
【００９２】
次に、赤色領域抽出ポインタ１３ｄに記憶される各値を、画像メモリ１３ａにおける画素位置に換算する。画像メモリ１３ａに記憶される画像データと、指定シート画像メモリ１３ｃに記憶される画像データとは、画像の大きさ（縮尺）が異なるため、赤色領域抽出ポインタ１３ｄに記憶される各値を、画像メモリ１３ａの縮尺に合わせる。つまり、赤色領域抽出ポインタ１３ｄの各値に画像縮尺メモリ１３ｂの値を乗算し、それぞれの値を補正領域ポインタ１３ｅに記憶する。
【００９３】
そうすることにより、補正領域ポインタ１３ｅのＸ方向最小値１３ｅ１には距離Ｈ１０に対応する画素数が、Ｘ方向最大値１３ｅ２には距離Ｈ２０に対応する画素数が、Ｙ方向最小値１３ｅ３には距離Ｖ１０に対応する画素数が、Ｙ方向最大値１３ｅ４には距離Ｖ２０に対応する画素数が記憶され、図１０（ａ）に示すように、画像メモリ１３ａの補正領域Ｄが特定される。
【００９４】
ここで、図３のフローチャートの説明に戻る。画像メモリ１３ａにおいて、補正領域ポインタ１３ｅで示される長方形の領域内（図１０（ａ）の補正領域Ｄ）に、顔の画像があるかを検出する（Ｓ７）。
【００９５】
そして、顔の画像が検出されたかを判断し（Ｓ８）、顔の画像が検出された場合は（Ｓ８：Ｙｅｓ）、検出された顔の画像に対して補正処理を行い、画像メモリ１３ａに記憶する（Ｓ９）。一方、顔の画像が検出されなかった場合は（Ｓ８：Ｎｏ）、補正処理を行わず、Ｓ１０の処理に移る。ここでの補正処理とは、例えば、赤目の補正処理や肌の色の補正処理である。
【００９６】
Ｓ１０の処理では、画像メモリ１３ａの画像データの画像を記録用紙に記録する（Ｓ１０）。この図３のフローチャートの処理により、ユーザは画像データ一部を補正処理したい場合に、指定シート２００にその領域Ｃを赤ペンで記入することによって、指示した領域の画像データの画像を補正し、記録用紙に記録することができる。
【００９７】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９８】
例えば、上記実施形態では、指定シート２００にトンボマークのみを記録しているが、指定シート２００に記録した画像データを特定するためのファイル名や、バーコードなどを一緒に記録しても良い。本実施形態では、指定シート２００の記録から画像データの補正まで一連の処理であるが、指定シート２００にファイル名や、バーコードなどが一緒に記録されていれば、補正を行う画像データが特定できるので、ユーザは指定シート２００を記録する処理と、画像データを補正する処理とを別々に行うことができる。
【００９９】
また、上記実施形態では、補助記号としてＬ字状のトンボマークを用いているが、基準点が記録されれば良いので、プラスや点などその他の記号でも良い。
【０１００】
また、上記実施形態では、補正部分を示すマークとして、ユーザが赤ペンで記入した閉曲線Ｃを検出しているが、補正部分の領域が特定できれば良いので、マークは点や丸などその他の記号やＣのような閉じていない曲線でも良い。記号を用いる場合は、ユーザは３カ所以上の記入が必要であり、その記入された記号を結んだ内側の領域に基づいて補正領域を検出する。
【０１０１】
また、上記実施形態では、指定シート２００の画像１００をモノクロで記録しているが、カラーで記録しても良い。指定シート２００の画像１００は薄く記録されるので、ユーザが赤ペンで記入する閉曲線Ｃを検出することができる。
【０１０２】
また、上記実施形態では、指定シート２００の画像１００を薄く記録しているが、プリンタ２１が複数の記録モード（例えば、ドラフトモードや標準モード）を備えている場合は、ドラフトモードで指定シート２００に画像１００を記録し、標準モードで記録用紙に画像を記録（図３のフローチャートに示すＳ１０の処理）してもよい。ドラフトモードを用いることで、指定シート２００には、標準モードで記録されるよりも薄い濃度の画像１００を記録することができる。
【図面の簡単な説明】
【０１０３】
【図１】本発明の実施形態における画像処理装置を有したＭＦＰの外観構成を示した斜視図である。
【図２】ＭＦＰの電気的構成を示すブロック図である。
【図３】ＭＦＰの画像処理を示すフローチャートである。
【図４】ＭＦＰの指定シート印刷処理を示すフローチャートである。
【図５】画像データの画像が記録された指定シートの一例を示す図である。
【図６】ＭＦＰの指定シート読取処理を示すフローチャートである。
【図７】指定シート画像メモリの内容を概略的に示したイメージ図である。
【図８】ＭＦＰの補正領域特定処理を示すフローチャートである。
【図９】指定シート画像メモリから、ユーザが赤ペンで記入した閉曲線Ｃを検出する方法の一例を示したイメージ図である。
【図１０】補正領域ポインタが示す内容を概略的に示したイメージ図である。
【符号の説明】
【０１０４】
１                ＭＦＰ（画像処理装置）
２０              スキャナ
２１              プリンタ
２２ａ            メモリカード
１５              操作キー（選択手段）
２００            指定シート
Ｓ９              補正手段
Ｓ１０            第２の記録手段
Ｓ２１〜Ｓ３０    第１の記録手段
Ｓ４１〜Ｓ５１    読取手段
Ｓ６１〜Ｓ６９    検出手段
【図１】
2008219210.tif 000003
【図２】
2008219210.tif 000004
【図３】
2008219210.tif 000005
【図４】
2008219210.tif 000006
【図５】
2008219210.tif 000007
【図６】
2008219210.tif 000008
【図７】
2008219210.tif 000009
【図８】
2008219210.tif 000010
【図９】
2008219210.tif 000011
【図１０】
2008219210.tif 000012